(57)【特許請求の範囲】
【請求項１】
メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
複数のメダルが載置されたフィールドと、
前記フィールドに対して垂直方向に複数のメダルを重ねて積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
上端に開口を有し、内部に空間を形成してなる筒状部材と、
前記筒状部材の開口に延在するノズルと、
前記メダルを搬送するメダル搬送機構とを備えており、
前記メダル搬送機構によって搬送されたメダルを、前記ノズルを介して上端開口から挿入して前記筒状部材内部の空間に積み上げることを特徴とするメダルゲーム装置。
【請求項２】
メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
多数のメダルが載置されたフィールドと、
内部に空間を形成してなる筒状部材に沿って多数のメダルを重ねて積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記筒状部材は、
垂直方向に分割された部材を、垂直方向に延在する軸を中心に回動可能に組み合わせて構成されており、
前記メダル倒壊手段は、
前記分割された部材を水平方向に回動させて前記筒状部材内部の空間を開放させる駆動機構と、
前記メダル積重手段により複数のメダルが積み上げられたベースを傾斜させる駆動機構とを有し、
前記筒状部材を開放と共に複数のメダルが積み上げられた前記ベースを傾斜させることを特徴とするメダルゲーム装置。
【請求項３】
メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
多数のメダルが載置されたフィールドと、
前記抽選手段の抽選結果に応じて決定された数のメダルを積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
前記筒状部材の内部に形成された空間内にメダルを挿入して積み上げる構成であり、
前記メダル倒壊手段は、
前記メダル積重手段により複数のメダルが積み上げられたベースを傾斜させてメダルを倒壊させる構成であり、
前記筒状部材は、
垂直方向に分割された部材を、垂直方向に延在する軸を中心に回動可能に組み合わせてなり、前記分割された部材が閉じた状態で内部に前記空間を形成し、前記分割された部材が駆動機構により水平方向に回動して前記空間を開放する構成であることを特徴とするメダルゲーム装置。
【請求項４】
メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
複数のメダルが載置されたフィールドと、
前記フィールドに対して垂直方向に複数のメダルを積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
上端に開口を有し、内部に空間を形成してなる筒状部材と、
前記筒状部材の開口に延在するノズルと、
メダルを搬送するメダル搬送機構とを備えており、
前記メダル搬送機構によって搬送されたメダルを、前記ノズルを介して上端開口から挿入して前記筒状部材内部の空間に１列に積み上げ、
前記筒状部材は、
垂直方向に分割された部材を、垂直方向に延在する軸を中心に回動可能に組み合わせて構成されており、
前記メダル倒壊手段は、
前記分割された部材を水平方向に回動させて前記筒状部材内部の空間を開放させる駆動機構と、
前記メダル積重手段により複数のメダルが積み上げられたベースを傾斜させる駆動機構とを有し、
前記筒状部材を開放と共に複数のメダルが積み上げられた前記ベースを傾斜させることを特徴とするメダルゲーム装置。
【発明の詳細な説明】
【０００１】
【発明の属する技術分野】
本発明は、メダルの投入によりスタートする抽選結果に応じてボーナスを獲得できるように構成されたメダルプッシャゲーム装置の改良に関する。
【０００２】
【従来の技術】
例えばゲームセンタ等の遊技施設においては、遊技者がメダルをフィールドに投入することにより、フィールド上を往復動するプッシャに押圧されたメダルがフィールドから落下し、落下したメダルが遊技者に払いだされるよう構成されたメダルプッシャゲーム装置が設置されている。
【０００３】
この種のメダルプッシャゲーム装置は、主に階段状に形成されたフィールドを有し、各フィールド毎にプッシャが往復動しており、上段のフィールドへメダルを投入するようのメダル投入ガイドが設けられている。そして、遊技者は、プッシャの動きに合わせてメダルが押し出される場所にメダル投入ガイドの向きを調整してメダルを１枚ずつ投入する。
【０００４】
また、従来のメダルプッシャゲーム装置は、筐体が比較的低くく形成されている。そのため、遊技者は、筐体の上からフィールドを見下ろしながら、メダルの落ちやすい場所を探し、その付近にメダルを投入する。
【０００５】
【発明が解決しようとする課題】
ところが、上記のような従来のメダルプッシャゲーム装置では、単にプッシャがフィールド上を往復動しているだけであり、プッシャに押圧されたメダルがフィールドから落下のを待つだけであった。そのため、従来のメダルプッシャゲーム装置においては、動作が単調であるばかりか、メダルが数枚ずつしか獲得できないので、面白さに欠けていた。
【０００６】
また、従来は、プッシャの往復運動によりフィールドから落下したメダルが直ぐに払出し口に落ちる構成であるので、遊技者としては獲得されるメダルが直ぐに消えてしまって視覚的に楽しむことができず、もの足りないという感じを受けていた。
さらに、従来のメダルプッシャゲーム装置においては、フィールドから落下したメダルの一部が払出し口に落ちて遊技者が獲得することができるが、スロットマシンやパチスロ機等の他のメダル獲得ゲーム機に比べてゲーム性が乏しく、楽しみが少ないといった問題がある。
【０００７】
そこで、本発明は、上記課題を解決したメダルプッシャゲーム装置を提供することを目的とする。
【０００８】
【課題を解決するための手段】
上記課題を解決するため、本発明は以下のような特徴を有する。
【００１０】
上記請求項１記載の発明は、メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
複数のメダルが載置されたフィールドと、
前記フィールドに対して垂直方向に複数のメダルを重ねて積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
上端に開口を有し、内部に空間を形成してなる筒状部材と、
前記筒状部材の開口に延在するノズルと、
前記メダルを搬送するメダル搬送機構とを備えており、
前記メダル搬送機構によって搬送されたメダルを、前記ノズルを介して上端開口から挿入して前記筒状部材内部の空間に積み上げることを特徴とするものである。
従って、上記請求項１記載の発明によれば、抽選手段の抽選結果により入賞した場合、メダル積重手段により積み上げられたメダルをフィールドに向けて倒壊させるため、メダルが積み上げられる様子を視覚的に楽しむことができると共に、積み上げられた多数のメダルが一気に倒壊することによりボーナスを獲得したという満足感とそれまで積み上げられたメダルのタワーが倒壊するという爽快感を堪能することができる。さらに、メダル搬送機構によって搬送されたメダルを、メダル積重手段のノズルを介して上端開口から挿入して筒状部材内部の空間に積み上げるため、多数のメダルを垂直方向に積み上げることが可能になり、メダルによるタワーを構築することができる。
【００１１】
また、上記請求項２記載の発明は、メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
多数のメダルが載置されたフィールドと、
内部に空間を形成してなる筒状部材に沿って多数のメダルを重ねて積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記筒状部材は、
垂直方向に分割された部材を、垂直方向に延在する軸を中心に回動可能に組み合わせて構成されており、
前記メダル倒壊手段は、
前記分割された部材を水平方向に回動させて前記筒状部材内部の空間を開放させる駆動機構と、
前記メダル積重手段により複数のメダルが積み上げられたベースを傾斜させる駆動機構とを有し、
前記筒状部材を開放と共に複数のメダルが積み上げられた前記ベースを傾斜させることを特徴とするものである。
従って、上記請求項２記載の発明によれば、メダル倒壊手段が、筒状部材を開放と共に複数のメダルが積み上げられたベースを傾斜させるため、多数のメダルを垂直方向に積み上げてなるメダルによるタワーを一気に倒壊させることができる。
【００１２】
また、上記請求項３記載の発明は、メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
多数のメダルが載置されたフィールドと、
前記抽選手段の抽選結果に応じて決定された数のメダルを積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
前記筒状部材の内部に形成された空間内にメダルを挿入して積み上げる構成であり、
前記メダル倒壊手段は、
前記メダル積重手段により複数のメダルが積み上げられたベースを傾斜させてメダルを倒壊させる構成であり、
前記筒状部材は、
垂直方向に分割された部材を、垂直方向に延在する軸を中心に回動可能に組み合わせてなり、前記分割された部材が閉じた状態で内部に前記空間を形成し、前記分割された部材が駆動機構により水平方向に回動して前記空間を開放する構成であることを特徴とするものである。
【００１３】
従って、上記請求項３記載の発明によれば、筒状部材が、垂直方向に分割された部材を、垂直方向に延在する軸を中心に回動可能に組み合わせてなり、分割された部材が閉じた状態で内部に空間を形成し、分割された部材が駆動機構により水平方向に回動して空間を開放するため、円柱状空間内に積み上げられたメダルを一気に倒壊させることが可能になる。
また、上記請求項４記載の発明は、メダルが投入されるメダル投入口と、
前記メダル投入口に投入されたメダルが移動する経路において所定位置を通過したことを検出するメダル検出手段と、
前記メダル検出手段からの検出信号により抽選処理を開始する抽選手段と、
複数のメダルが載置されたフィールドと、
前記フィールドに対して垂直方向に複数のメダルを積み上げるメダル積重手段と、
前記抽選手段の抽選結果により入賞した場合、前記メダル積重手段により積み上げられた複数のメダルを前記フィールドに向けて倒壊させるメダル倒壊手段と、
前記フィールドに載置されたメダルを所定のストロークで押圧するメダル押圧部材と、
前記メダル押圧部材の押圧動作により前記フィールドから押し出されたメダルを払い出しする払い出し部と、
を備え、
前記メダル積重手段は、
上端に開口を有し、内部に空間を形成してなる筒状部材と、
前記筒状部材の開口に延在するノズルと、
メダルを搬送するメダル搬送機構とを備えており、
前記メダル搬送機構によって搬送されたメダルを、前記ノズルを介して上端開口から挿入して前記筒状部材内部の空間に１列に積み上げ、
前記筒状部材は、
垂直方向に分割された部材を、垂直方向に延在する軸を中心に回動可能に組み合わせて構成されており、
前記メダル倒壊手段は、
前記分割された部材を水平方向に回動させて前記筒状部材内部の空間を開放させる駆動機構と、
前記メダル積重手段により複数のメダルが積み上げられたベースを傾斜させる駆動機構とを有し、
前記筒状部材を開放と共に複数のメダルが積み上げられた前記ベースを傾斜させることを特徴とするものである。
【００１４】
従って、上記請求項４記載の発明によれば、メダル搬送機構によって搬送されたメダルを、ノズルを介して上端開口から挿入して筒状部材内部の空間に１列に積み上げ、筒状部材を開放と共に複数のメダルが積み上げられたベースを傾斜させるため、多数のメダルを垂直方向に積み上げてなるメダルによるタワーをベースの傾斜により徐々に傾けることができ、視覚的に楽しむことができる。
【００１５】
【発明の実施の形態】
以下図面と共に本発明の実施の形態について説明する。
図１は本発明の実施の形態に係るメダルプッシャゲーム装置の斜視図である。図２乃至図７は図１に示すメダルプッシャゲーム装置の正面図、左側面図、右側面図、平面図、底面図、背面図である。
【００１６】
図１乃至図７に示されるように、メダルプッシャゲーム装置１１は、筐体１２の上部に１人用（１Ｐ）のメダル投入口１４と２人用（２Ｐ）のメダル投入口１６とが並設されている。各メダル投入口１４，１６は、左右方向に２箇所ずつ設けられている。また、メダル投入口１４，１６の両側には、ＢＧＭ用のスピーカ１８が取り付けられている。
【００１７】
そして、筐体１２は、内部に１人用（１Ｐ）及び２人用（２Ｐ）の共通のゲーム空間２０が形成されており、筐体１２の前面及び左右側面にはゲーム空間２０を囲む透明ガラス板２２〜２４が取り付けられている。また、筐体１２は、上部にビルボード２６が取り付けられており、前面の透明ガラス板２２の下方には自動車の前部をデザインした模型２８が突出している。
【００１８】
さらに、筐体１２は、前面下部に１人用（１Ｐ）及び２人用（２Ｐ）のメダル払出し口３０，３２が設けられている。また、メダル払出し口３０，３２の間には、コイン投入口３４及びコイン返却口３６が設けられている。
また、筐体１２は、底面に搬送用のキャスタ３８ａと、設置時に筐体１２の移動を阻止するストッパ３８ｂとが設けられている。そして、筐体１２は、背面にメンテナンス用の蓋４０が取り付けられている。
【００１９】
ここで、ゲーム空間２０の構成について説明する。
ゲーム空間２０には、多数のメダルが載置されたフィールド４２，４３と、フィールド４２，４３上を往復動するプッシャ（メダル押圧部材）４４，４５とが各遊技者（１Ｐ，２Ｐ）用に設けられている。フィールド４２，４３の近傍には、円筒状部材からなる１Ｐ用メダルタワー（メダル積重手段）４６と２Ｐ用メダルタワー（メダル積重手段）４８とが設けられている。また、メダルタワー４６，４８は、後述するように透明なチューブ状に形成された部材からなり、外部から内部に形成された円柱状空間４６Ｃ（図１２（Ａ）参照）に積み上げられたメダル数が見えるようになっている。
【００２０】
フィールド４２の右側には、メダルを積み上げる１Ｐ用メダルタワー４６を支持する支持部（図示せず）のカバー４７が設けられている。また、フィールド４３の左側には、メダルを積み上げる２Ｐ用メダルタワー４８を支持する支持部（図示せず）のカバー４９が設けられている。また、フィールド４２と４３との間には、１Ｐ用スペースと２Ｐ用スペースとを仕切るカバー５０が設けられている。
【００２１】
さらに、フィールド４２，４３の後面側には、抽選処理を行う抽選ボード（抽選手段）５２が設けられている。この抽選ボード５２は、メダルの通過を検出するチャッカ（検出部材）５４，５６と、チャッカ５４，５６からの検出信号により作動する電光式のルーレット５８，５９と、ルーレット５８の停止番号に応じた数だけ進む電光式の双六６０とが設けられている。
【００２２】
双六６０は、「人生ゲーム」と呼ばれるゲームと同様なパターンで形成されており、スタートからルーレット５８の停止番号に応じた数だけ自駒（電球の点灯で示す）が進むように構成されている。
双六６０は、スタートとゴールの間に例えば「交通事故」「宝くじ当たり」等といった特定マスが設けられている。自駒が「交通事故」のマスで停止した場合には、自駒が５駒戻ることになる。また、自駒が「宝くじ当たり」のマスで停止した場合には、後述するメダル供給機構によりメダルタワー４６または４８にメダル１０枚が供給される。
【００２３】
そして、双六６０の自駒がゴールに到着すると、メダルタワー４６または４８に積み上げられた多数のメダルがメダルタワー４６または４８の開放動作によりフィールド４２または４３に向かって倒壊する。このようにフィールド４２，４３からこぼれたメダルあるいはプッシャ４４，４５の往復動によりフィールド４２，４３からこぼれたメダルは、メダル払出し口３０，３２に落下して遊技者のものとなる。
【００２４】
ここで、メダルプッシャゲーム装置１１のメダルの移動について説明する。
図８はメダルの投入経路を示す側断面図である。
図８に示されるように、抽選ボード５２の前面側には、透明アクリル板６２が対向配置されている。また、抽選ボード５２は、前面にルーレット５８，５９の各電球を点灯制御するルーレット制御部６４と、双六６０の各電球を点灯制御する双六制御部６６とが取り付けられている。
【００２５】
また、抽選ボード５２と透明アクリル板６２との間には、コイン投入口３４，３６から投入されたメダルが通過するための空間（抽選経路）６８が形成されている。そして、この空間６８内には、複数の釘７０が抽選ボード５２と透明アクリル板６２とを貫通してランダムに起立している。この釘７０は、パチンコ台に設けられている釘と同様、コイン投入口３４，３６から投入されたメダルの落下位置をずらすためのものである。
【００２６】
遊技者は、メダルをコイン投入口３４，３６へ投入した後、メダルはコイン投入口３４，３６に連通された傾斜通路７２を通過して抽選ボード５２と透明アクリル板６２との間に形成された空間６８に落下する。空間６８を通過するメダルは、釘７０に当接して落下位置が変更されながらプッシャ４４，４５上に落下する。
【００２７】
プッシャ４４，４５は、プッシャ駆動機構（図示せず）により一定の周期で前後方向に往復運動している。そのため、プッシャ４４，４５上に落下したメダルは、プッシャ４４，４５の往復運動と共に、フィールド４２，４３に移動し、フィールド４２，４３からはみ出したメダルは、通路７４を通過してメダル払出し口３０，３２に落下する。
【００２８】
図９は回収したメダルをメダルタワー４６，４８へ供給するメダル供給機構を説明するための縦断面図である。
図９に示されるように、フィールド４２，４３の両側には、メダルを店側に回収するための回収口（「Ｈ／Ｇ（ハウスゲイン）口」とも呼ばれている）７５が設けられている。尚、回収口７５は、カバー４７，４９，５０により覆われており、遊技者から見えないように設けられている。
【００２９】
フィールド４２，４３の両側からこぼれたメダルメダルは、ホッパ７６に回収される。そして、ホッパ７６内のメダルは、メダル搬送機構７８によりダクト８０内を通過して上方に搬送される。
ダクト８０の上端には、メダルタワー４６，４８の上端開口に延在するノズル８２が設けられている。メダル搬送機構７８によりダクト８０の上端に搬送されたメダルは、ノズル８２からメダルタワー４６，４８の上端開口に向けて排出される。その際、ノズル８２から排出される枚数は、前述した双六６０の自駒が獲得した数によって決まる。
【００３０】
ノズル８２からメダルタワー４６，４８の上端開口に入ったメダルは、円筒状の内部に形成された円柱状空間４６Ｃ（図１２（Ａ）参照）に落下して積み上げられる。従って、双六６０で何等かの入賞が得られると、その獲得数に応じたメダルが透明なチューブからなるメダルタワー４６，４８の内部に積み上げられる。このように遊技者は、メダルの積み上げ動作を見て視覚的にも楽しむことができると共に、積み上げられたメダル数が増えるにつれて儲かったという気持ちが高まり、ギャンブル性も楽しむことができる。
【００３１】
また、ノズル８２から排出されるメダルは、勢い良く排出されるため、メダルタワー４６，４８の上端開口に当接してフィールド４２，４３へ落下する場合もある。例えばノズル８２から１０枚のメダルが排出されると、そのうち３枚位はフィールド４２，４３へ落下するようになっている。このメダルタワー４６，４８の上端からフィールド４２，４３へ落下したメダルがフィールド４２，４３に載置されたメダルをメダル払出し口３０，３２に落下させる。
【００３２】
ここで、メダルタワー４６，４８の構成について説明する。
図１０はメダルタワー４６，４８の構成を示す分解斜視図である。尚、メダルタワー４６と４８とは、同一構成であるので、メダルタワー４６の構成について説明し、メダルタワー４８の説明は省略する。
図１０に示されるように、メダルタワー４６は、透明なチューブ状となるように構成されており、垂直方向に２分割されたタワー半体４６Ａと４６Ｂとを水平方向に回胴して開閉可能に組み合わせてなる。タワー半体４６Ａ，４６Ｂは、上方からみると略１８０度の円弧形状に形成されており、組合わさると円筒状のチューブになる。また、タワー半体４６Ａ，４６Ｂは、外周の上下位置に支持部４６ａ，４６ｂを有する。
【００３３】
タワー半体４６Ａ，４６Ｂの下方には、メダルが積み上げられるメダル台８３が設けられている。このメダル台８３は、一対のブラケット８４，８５間に横架された軸８６により上下方向に回動可能に支持されている。
タワー半体４６Ａ，４６Ｂの支持部４６ａ，４６ｂには、垂直方向に延在するシャフト８７，８８が挿通される。このシャフト８７，８８の上端は、支持部４６ａ，４６ｂに固定される。そのため、シャフト８７，８８が駆動機構８９により回動すると、タワー半体４６Ａ，４６Ｂは、シャフト８７，８８と一体的に開方向または閉方向に回動する。
【００３４】
また、シャフト８７，８８は、垂直ブラケット９０，９１に支持されたガイド部材９２，９３の孔９２ａ，９３ａに挿通されて支持されている。
シャフト８７，８８の下端は、駆動機構８９のリンク９４，９６に連結されている。また、リンク９４，９６は、コイルバネ９８，１００のバネ力により閉じ方向に付勢されている。そのため、タワー半体４６Ａ，４６Ｂは、通常、コイルバネ９８，１００のバネ力がリンク９４，９６を介して伝達されており、閉じた状態に保持される。この閉じ状態のときに前述したメダル搬送機構７８により搬送されたメダルがメダルタワー４６の上端開口から投入されると、複数のメダルがメダルタワー４６の内部空間に垂直方向に積重される。
【００３５】
駆動機構８９は、大略、上記メダル台８３と、一対のブラケット８４，８５と、リンク９４，９６と、コイルバネ９８，１００と、ベース１０２に固定されたモータ１０４と、モータ１０４の回転軸１０４ａに結合されたクランクピン１０６と、クランクピン１０６に駆動されて前後方向に移動する移動レバー１０８と、移動レバー１０８に固定された移動ブラケット１１０と、移動ブラケット１１０に固定されたローラ１１２とからなる。
【００３６】
ローラ１１２は、メダル台８３を支持する一対のブラケット８４，８５間に横架されて、一端がブラケット８４の外側に配置された移動ブラケット１１４に支持され、他端がブラケット８５の外側に配置された移動ブラケット１１０に支持されている。そして、ローラ１１２は、メダル台８３の底部に摺接しながら移動レバー１０８と共に移動する。
【００３７】
メダル台８３の底部には、傾斜したカム面８３ａ，８３ｂが設けられており、後述するようにローラ１１２がカム面８３ａ，８３ｂに沿って移動することによりメダル台８３が傾斜して積み上げられたメダルを倒壊させる。また、メダル台８３の前側には、メダル台８３の傾斜動作に伴ってメダル台８３に積重されたメダルの滑り方向をガイドする滑り台１１６が設けられている。
【００３８】
さらに、一対のブラケット８４，８５の上部には、カバー１１８が取り付けられる。このカバー１１８には、メダル台８３に対応する開口１１８ａが設けられている。
次にタワー半体４６Ａ，４６Ｂを開閉させる機構について説明する。
図１１（Ａ）（Ｂ）はタワー半体４６Ａ，４６Ｂを開放させる機構の開放動作前、開放動作後の平面図である。
【００３９】
図１１（Ａ）に示されるように、タワー半体４６Ａ，４６Ｂを回動させるシャフト８７，８８の下端に結合されたリンク９４，９６は、一端に結合されたシャフト８７，８８を軸として回動するように支持されており、他端には移動レバー１０８に当接する当接ピン９４ａ，９６ａを有する。
また、移動レバー１０８は、下面側に形成された凹部１０８ａにクランクピン１０６の係合部１０６ａが係合している。
【００４０】
図１１（Ｂ）に示されるように、モータ１０４の回転駆動力がクランクピン１０６に伝達され、クランクピン１０６が反時計方向に回動すると、移動レバー１０８がＸ方向にスライドする。移動レバー１０８は、リンク９４，９６の当接ピン９４ａ，９６ａをＸ方向に押圧しながら移動するため、リンク９４，９６は夫々時計方向、反時計方向に回動する。これにより、シャフト８７，８８が時計方向、反時計方向に回動してタワー半体４６Ａ，４６Ｂを開放動作させる。
【００４１】
図１２（Ａ）はタワー半体４６Ａ，４６Ｂの閉じ状態を示す平面図である。また、図１２（Ｂ）はタワー半体４６Ａ，４６Ｂの開放状態を示す平面図である。前述したように通常、コイルバネ９８，１００のバネ力がリンク９４，９６を介してタワー半体４６Ａ，４６Ｂに伝達されている。そのため、ゲーム開始時は、図１２（Ａ）に示されるように、タワー半体４６Ａ，４６Ｂが突き合わされた閉じた状態に保持されている。このタワー半体４６Ａ，４６Ｂにより形成された円筒状部材の内部に形成された円柱状空間４６Ｃには、メダル搬送機構７８から投下されたメダルが積み上げられる。
【００４２】
そして、図１１（Ｂ）に示されるように、移動レバー１０８がリンク９４，９６の当接ピン９４ａ，９６ａをＸ方向に押圧しながら移動すると、図１２（Ｂ）に示されるように、シャフト８７，８８が時計方向、反時計方向に回動してタワー半体４６Ａ，４６Ｂを開放動作させる。これにより、円柱状空間４６Ｃに積み上げられたメダルのタワーを一気に倒壊させることができる。
【００４３】
次に、メダル台８３の動作について説明する。
図１３はメダル台８３のゲーム開始状態を示す側面図である。
図１３に示されるように、メダル台８３の底部には、ローラ１１２が摺接するカム面８３ａ，８３ｂが設けられている。カム面８３ａは水平方向に対して傾斜角度α１で傾斜しており、カム面８３ｂは水平方向に対して傾斜角度α２で傾斜している。傾斜角度α２は、傾斜角度α１より大である（α２＞α１）。
【００４４】
ゲーム開始状態では、ローラ１１２がカム面８３ａの先端側に当接している。この当接状態では、メダル台８３のメダルが載置される上面８３ｃが水平状態になっている。そのため、前述したメダル搬送機構７８により搬送されたメダルがメダルタワー４６の上端開口に投入されると、各メダルがメダル台８３の上面８３ｃに積み上げられる。
【００４５】
ローラ１１２は、前述したように移動レバー１０８に固定された移動ブラケット１１０に支持されているため、移動レバー１０８のＸ方向へのスライド動作と共に同方向に移動する。このように、移動レバー１０８がＸ方向へスライド動作開始すると共に、シャフト８７，８８が時計方向、反時計方向に回動してタワー半体４６Ａ，４６Ｂを開放動作させる。（図１２（Ｂ）参照）
図１４はメダル台８３の傾斜動作を示す側面図である。
【００４６】
図１４に示されるように、タワー半体４６Ａ，４６Ｂの開放動作に連動してローラ１１２がＸ方向へ移動してカム面８３ａを摺動する。このように、ローラ１１２がＸ方向へ移動するのにつれて、メダル台８３は軸８６を中心に反時計方向に回動して上面８３ｃを徐々に傾斜させる。そのため、メダル台８３の上面８３ｃに積み上げられた多数のメダルＭも垂直状態からゆっくりと傾いた状態に移行する。
【００４７】
図１５はメダル台８３が大きく傾斜した動作状態を示す側面図である。
図１５に示されるように、ローラ１１２がＸ方向へ移動してカム面８３ａを通過して傾斜角度の大きいカム面８３ｂに当接すると、メダル台８３は軸８６を中心に大きく回動して上面８３ｃの傾斜角度を大にする。そのため、メダル台８３の上面８３ｃに積み上げられた多数のメダルＭ全体が大きく傾いて倒壊する。
【００４８】
図１６はメダル台８３に積み上げられた多数のメダルＭが倒壊した動作状態を示す側面図である。
図１６に示されるように、高層ビルのように積み上げられた多数のメダルＭが一気にフィールド４２及びプッシャ４５に向かって落下し、フィールド４２及びプッシャ４５に載置されていたメダルＭに衝突して多数のメダルＭが飛び散る。そのため、多数のメダルＭの倒壊の直後に多数のメダルＭが飛び散って迫力のある状況を再現することができる。
【００４９】
ここで、上記のように構成されたメダルタワー４６の動作について説明する。
図１７はゲーム開始時のメダルタワー４６の状態を示す斜視図である。
図１７に示されるように、ゲーム開始時は、メダルタワー４６のタワー半体４６Ａ，４６Ｂは、通常、コイルバネ９８，１００のバネ力がリンク９４，９６を介して伝達されており、閉じた状態に保持される。
【００５０】
この状態で遊技者は、メダル投入口１４へメダルを投入してメダルの落下方向を確認する。メダル投入口１４に投入されたメダルが抽選ボード５２と透明アクリル板６２との間の空間６８を通過する際、釘７０に当接して落下経路を変更しながらチャッカ５４，５６を通過すると、ルーレット５８の点灯位置が回転し、ルーレット５８の停止番号に応じた数だけ双六６０の自駒が進む。
【００５１】
これが何回か繰り返され、ルーレット５８の自駒が双六６０で何等かの入賞が得られると、その獲得数に応じたメダルが透明なメダルタワー４６の内部にメダル搬送機構７８から搬送されたメダルＭが積み上げられる。
この閉じ状態のときに前述したメダル搬送機構７８により搬送されたメダルがメダルタワー４６の上端開口から投入されると、複数のメダルがメダルタワー４６の内部空間に積重される。
【００５２】
そして、双六６０の自駒がゴールに到着すると、ジャックポットが成立し上記駆動機構８９のモータ１０４が駆動されてシャフト８７，８８がメダルタワー４６のタワー半体４６Ａ，４６Ｂが開放される。
図１８はメダルタワー４６の開放動作を示す斜視図である。
図１８に示されるように、双六６０の自駒がゴールに到着すると、メダルタワー４６のタワー半体４６Ａ，４６Ｂが左右方向に約９０度回動して２分割される。これで、メダルタワー４６の内部に積み上げられた多数のメダルＭ（およそ１００〜２００枚程度）が露出した状態となる。遊技者は、多数のメダルＭが高層ビルのように垂直に積み上げられた状態を見て、これらのメダルＭを獲得できるものと実感する。
【００５３】
図１９はメダルタワー４６の内部に積み上げられた多数のメダルＭが傾いた状態を示す斜視図である。
図１９に示されるように、メダルタワー４６の底部に設けられたメダル台８３が回動すると共に、積み上げられた多数のメダルＭがメダル台８３の回動方向に傾く。そして、高層ビルのように積み上げられた多数のメダルＭが一気にフィールド４２及びプッシャ４５に向かって倒壊する。
【００５４】
図２０はメダルタワー４６の内部に積み上げられた多数のメダルＭが倒壊した状態を示す斜視図である。
図２０に示されるように、上記倒壊動作によりメダルタワー４６の内部に積み上げられた多数のメダルＭが倒壊すると共にフィールド４２及びプッシャ４５上に多数のメダルＭが飛び散る。そして、多数のメダルＭがフィールド４２からこぼれてメダル払出し口３０に落下する。
【００５５】
遊技者は、多数のメダルＭが倒壊すると共に、フィールド４２及びプッシャ４５上に飛び散る様子をみてその迫力に驚くと共に、一気に倒壊する様子をみて爽快感を堪能することができる。
尚、上記実施の形態では、１の筐体で２人の遊技者が同時にメダルを投入できる構成について説明したが、これに限らず、１人で行うメダルプッシャゲーム装置でも良いし、あるいは２人以上で行えるメダルプッシャゲーム装置にも適用できるのは勿論である。
【００５６】
また、上記実施の形態では、一のフィールド４２に１本のメダルタワー４６が設けられた構成を一例として示したが、これに限らず、例えばフィールド４２の両側に一対のメダルタワー４６を設け、一対のメダルタワー４６が左右方向から同時に開放動作及び倒壊動作を行うように構成することもできる。
【００５７】
【発明の効果】
上述の如く、上記請求項１記載の発明によれば、抽選手段の抽選結果により入賞した場合、メダル積重手段により積み上げられたメダルをフィールドに向けて倒壊させるため、メダルが積み上げられる様子を視覚的に楽しむことができると共に、獲得できるメダル数が増加して儲かったという気持ちが高まり、さらに積み上げられた多数のメダルが一気に倒壊することによりボーナスを獲得したという満足感とそれまで積み上げられたメダルのタワーが倒壊するという爽快感を堪能することができる。
【００５８】
また、上記請求項１記載の発明によれば、メダル搬送機構によって搬送されたメダルを、メダル積重手段のノズルを介して上端開口から挿入して筒状部材内部の空間に積み上げるため、多数のメダルを垂直方向に積み上げることが可能になり、メダルによるタワーを構築することができる。そのため、遊技者は、メダルの積み上がる高さがより高くなることにより獲得できるメダル数が増加して得した気分になる。
【００５９】
また、上記請求項２記載の発明によれば、メダル倒壊手段が、筒状部材を開放と共に複数のメダルが積み上げられたベースを傾斜させるため、多数のメダルを垂直方向に積み上げてなるメダルによるタワーを一気に倒壊させることができる。
また、上記請求項３記載の発明によれば、筒状部材が、垂直方向に分割された部材を、垂直方向に延在する軸を中心に回動可能に組み合わせてなり、分割された部材が閉じた状態で内部に空間を形成し、分割された部材が駆動機構により水平方向に回動して空間を開放するため、円柱状空間内に積み上げられたメダルを一気に倒壊させることが可能になる。
【００６０】
また、上記請求項４記載の発明によれば、メダル搬送機構によって搬送されたメダルを、ノズルを介して上端開口から挿入して筒状部材内部の空間に１列に積み上げ、筒状部材を開放と共に複数のメダルが積み上げられたベースを傾斜させるため、多数のメダルを垂直方向に積み上げてなるメダルによるタワーをベースの傾斜により徐々に傾けることができ、高層ビルのように積み上げられた多数のメダルが以外な展開で獲得できるので、遊技者が驚くと共に視覚的に楽しむことができる。
【図面の簡単な説明】
【図１】本発明の実施の形態に係るメダルプッシャゲーム装置の斜視図である。
【図２】図１に示すメダルプッシャゲーム装置の正面図である。
【図３】図１に示すメダルプッシャゲーム装置の左側面図である。
【図４】図１に示すメダルプッシャゲーム装置の右側面図である。
【図５】図１に示すメダルプッシャゲーム装置の平面図である。
【図６】図１に示すメダルプッシャゲーム装置の底面図である。
【図７】図１に示すメダルプッシャゲーム装置の背面図である。
【図８】メダルの投入経路を示す側断面図である。
【図９】回収したメダルをメダルタワー４６，４８へ供給するメダル供給機構を説明するための縦断面図である。
【図１０】メダルタワー４６，４８の構成を示す分解斜視図である。
【図１１】タワー半体４６Ａ，４６Ｂを開放させる機構の開放動作前、開放動作後の平面図である。
【図１２】タワー半体４６Ａ，４６Ｂの動作状態を示す平面図である。
【図１３】メダル台８３のゲーム開始状態を示す側面図である。
【図１４】メダル台８３の傾斜動作を示す側面図である。
【図１５】メダル台８３が大きく傾斜した動作状態を示す側面図である。
【図１６】メダル台８３に積み上げられた多数のメダルＭが倒壊した動作状態を示す側面図である。
【図１７】ゲーム開始時のメダルタワー４６の状態を示す斜視図である。
【図１８】メダルタワー４６の開放動作を示す斜視図である。
【図１９】メダルタワー４６の内部に積み上げられた多数のメダルＭが傾いた状態を示す斜視図である。
【図２０】メダルタワー４６の内部に積み上げられた多数のメダルＭが倒壊した状態を示す斜視図である。
【符号の説明】
１１  メダルプッシャゲーム装置
１２  筐体
１４，１６  メダル投入口
２０  ゲーム空間
２２〜２４  透明ガラス板
３０，３２  メダル払出し口
４２，４３  フィールド
４４，４５  プッシャ
４６，４８  メダルタワー
４６Ａ，４６Ｂ  タワー半体
５２  抽選ボード
５４，５６  チャッカ
５８，５９  ルーレット
６０  双六
６２  透明アクリル板
６４  ルーレット制御部
６６  双六制御部
６８  空間
７５  回収口
７６  ホッパ
７８  メダル搬送機構
８０  ダクト
８２  ノズル
８３  メダル台
８７，８８  シャフト
９４，９６  リンク
１０４  モータ
１０６  クランクピン
１０８  移動レバー
１１２  ローラ
【図１】
0004423706.tif 000002
【図２】
0004423706.tif 000003
【図３】
0004423706.tif 000004
【図４】
0004423706.tif 000005
【図５】
0004423706.tif 000006
【図６】
0004423706.tif 000007
【図７】
0004423706.tif 000008
【図８】
0004423706.tif 000009
【図９】
0004423706.tif 000010
【図１０】
0004423706.tif 000011
【図１１】
0004423706.tif 000012
【図１２】
0004423706.tif 000013
【図１３】
0004423706.tif 000014
【図１４】
0004423706.tif 000015
【図１５】
0004423706.tif 000016
【図１６】
0004423706.tif 000017
【図１７】
0004423706.tif 000018
【図１８】
0004423706.tif 000019
【図１９】
0004423706.tif 000020
【図２０】
0004423706.tif 000021